(57)【特許請求の範囲】
【請求項１】
エレベータのかご内に設けられ、点灯によって、実施されている管制運転の内容を前記かご内の利用者に報知する複数の表示灯と、
管制運転を開始させる管制運転開始信号が入力された場合、及び、エレベータの保守点検時にメンテナンス用端末装置からオプションコードが入力された場合に、管制運転を実施する複数のオプション機器の中から前記管制運転開始信号又は前記オプションコードに対応する前記オプション機器を判定し、判定結果に応じたオプション動作信号を出力するコード判定部と、
前記コード判定部から出力されたオプション動作信号に基づいて、対応のオプション機器を動作させて管制運転を実施する制御部と、
前記コード判定部から出力されたオプション動作信号に基づいて、対応する前記表示灯を選択する表示灯選択部と、
この表示灯選択部により選択された前記表示灯を点灯させる表示灯点灯指令部と、
エレベータの保守点検時にメンテナンス用端末装置から前記コード判定部にオプションコードが入力された場合に、オプション動作信号の出力先を前記表示灯選択部のみに限定する限定手段と、
を備えたことを特徴とするエレベータの管制運転表示の点検装置。
【請求項２】
エレベータのかご内に設けられ、点灯によって、実施されている管制運転の内容を前記かご内の利用者に報知する複数の表示灯と、
管制運転を開始させる管制運転開始信号が入力された場合、及び、エレベータの保守点検時にメンテナンス用端末装置からオプションコードが入力された場合に、管制運転を実施する複数のオプション機器の中から前記管制運転開始信号又は前記オプションコードに対応する前記オプション機器を判定し、判定結果に応じたオプション動作信号を出力するコード判定部と、
前記コード判定部から出力されたオプション動作信号に基づいて、対応のオプション機器を動作させて管制運転を実施する制御部と、
前記コード判定部から出力されたオプション動作信号に基づいて、対応する前記表示灯を選択する表示灯選択部と、
この表示灯選択部により選択された前記表示灯を点灯させる表示灯点灯指令部と、
エレベータの保守点検時にメンテナンス用端末装置から前記コード判定部にオプションコードが入力された場合に、オプション動作信号の出力先を変更せずに前記制御部の動作を制限する制限手段と、
を備えたことを特徴とするエレベータの管制運転表示の点検装置。
【発明の詳細な説明】
【技術分野】
【０００１】
この発明は、エレベータのかご内の管制運転表示が正常に行われているかを点検する点検装置に関するものである。
【背景技術】
【０００２】
地震時や火災時等に管制運転が実施されるエレベータには、昇降路内を昇降するかご内に、地震灯、火災灯等といった複数の表示灯が設けられたものがある。これらの表示灯は、管制運転の内容をかご内の利用者に対して報知するものであり、実際に管制運転が実施された場合には、実施されている管制運転に対応する表示灯が点灯される。また、上記表示灯を点検する従来技術として、エレベータの表示灯のうち点検対象表示灯を指定したチェックモードにするための点検情報を入力する点検情報入力装置と、点検情報入力装置から入力された点検情報に基づいて点検対象表示灯を判別するチェックモード判別手段と、チェックモード判別手段で判別された点検対象表示灯に点灯指令を出力する点検手段とを備えたものが提案されている（例えば、特許文献１参照）。
【０００３】
【特許文献１】特開２００１−１７１９３０号公報
【発明の開示】
【発明が解決しようとする課題】
【０００４】
特許文献１記載のものを使用して表示灯の点検を行うことにより、各種表示灯の点検を効率よく実施できるという利点がある。しかし、エレベータ保守作業員が上記点検により確認できることは、表示灯が点灯するか否か、即ち、表示灯に使用されているランプの球切れだけであり、実際に管制運転が実施された際に、管制運転を実施するオプション機器の動作に連動して表示灯が点灯しているのかといったことを点検することはできなかった。
【０００５】
この発明は、上述のような課題を解決するためになされたもので、その目的は、かご内に設けられた表示灯が、各種管制運転を実施するオプション機器の動作に連動して点灯することを確実に点検することができるエレベータの管制運転表示の点検装置を提供することである。
【課題を解決するための手段】
【０００６】
この発明に係るエレベータの管制運転表示の点検装置は、エレベータのかご内に設けられ、点灯によって、実施されている管制運転の内容をかご内の利用者に報知する複数の表示灯と、管制運転を開始させる管制運転開始信号が入力された場合、及び、エレベータの保守点検時にメンテナンス用端末装置からオプションコードが入力された場合に、管制運転を実施する複数のオプション機器の中から管制運転開始信号又はオプションコードに対応するオプション機器を判定し、判定結果に応じたオプション動作信号を出力するコード判定部と、コード判定部から出力されたオプション動作信号に基づいて、対応のオプション機器を動作させて管制運転を実施する制御部と、コード判定部から出力されたオプション動作信号に基づいて、対応する表示灯を選択する表示灯選択部と、この表示灯選択部により選択された表示灯を点灯させる表示灯点灯指令部と、エレベータの保守点検時にメンテナンス用端末装置からコード判定部にオプションコードが入力された場合に、オプション動作信号の出力先を表示灯選択部のみに限定する限定手段と、を備えたものである。
【０００７】
また、この発明に係るエレベータの管制運転表示の点検装置は、エレベータのかご内に設けられ、点灯によって、実施されている管制運転の内容をかご内の利用者に報知する複数の表示灯と、管制運転を開始させる管制運転開始信号が入力された場合、及び、エレベータの保守点検時にメンテナンス用端末装置からオプションコードが入力された場合に、管制運転を実施する複数のオプション機器の中から管制運転開始信号又はオプションコードに対応するオプション機器を判定し、判定結果に応じたオプション動作信号を出力するコード判定部と、コード判定部から出力されたオプション動作信号に基づいて、対応のオプション機器を動作させて管制運転を実施する制御部と、コード判定部から出力されたオプション動作信号に基づいて、対応する表示灯を選択する表示灯選択部と、この表示灯選択部により選択された表示灯を点灯させる表示灯点灯指令部と、エレベータの保守点検時にメンテナンス用端末装置からコード判定部にオプションコードが入力された場合に、オプション動作信号の出力先を変更せずに制御部の動作を制限する制限手段と、を備えたものである。
【発明の効果】
【０００９】
この発明によれば、かご内に設けられた表示灯が、各種管制運転を実施するオプション機器の動作に連動して点灯することを確実に点検することができるようになる。
【発明を実施するための最良の形態】
【００１０】
この発明をより詳細に説明するため、添付の図面に従ってこれを説明する。なお、各図中、同一又は相当する部分には同一の符号を付しており、その重複説明は適宜に簡略化ないし省略する。
【００１１】
実施の形態１．
図１は、この発明の実施の形態１におけるエレベータの制御装置の構成図である。図１において、１はエレベータ昇降路内を昇降するかご（図示せず）内に備えられた複数の表示灯であり、地震時や火災時等における管制運転時に、上記表示灯１の中の該当する一つ（例えば、地震灯や火災灯）が点灯されて、実施されている管制運転の内容をかご内の利用者に対して報知するものである。また、２はエレベータの保守作業時に有線又は無線によってエレベータの制御手段に接続され、手元の操作によって種々の保守点検作業を可能とする携帯式のメンテナンス用端末装置、３はメンテナンス用端末装置２内に備えられ、表示灯１の保守点検時にオプションコードを出力するオプションコード出力部である。なお、上記オプションコードは、エレベータの管制運転表示の点検をするために、各種管制運転を実施するオプション機器毎に予め定義されたコードであり、実際に管制運転を開始させる際に地震計等の各種センサから制御手段に入力される管制運転開始信号の擬似信号として、メンテナンス用端末装置２から出力されるものである。
【００１２】
また、上記エレベータ制御手段には、メンテナンス用端末装置２から制御手段に入力される各種信号を受信及び解析し、その解析結果に応じて当該入力信号を制御手段内の適切箇所に送信する信号解析部４と、エレベータの保守点検時、メンテナンス用端末装置２のオプションコード出力部３から出力されたオプションコードが信号解析部４を介して入力された際に、管制運転を実施する複数のオプション機器の中から上記オプションコードに対応するオプション機器を判定するとともに、判定されたオプション機器を動作させるオプション動作信号を出力するコード判定部５と、コード判定部５からオプション動作信号が入力された際に、入力されたオプション動作信号によって動作されるオプション機器が何れの表示灯１に対応するかを判定して、当該オプション動作信号に対応する表示灯１を選択するとともに、選択された表示灯１を点灯させる表示灯点灯信号を出力する表示灯選択部６と、表示灯選択部６から表示灯点灯信号が入力された際に、入力された表示灯点灯信号に対応する表示灯１を実際に点灯させる表示灯点灯指令部７とが備えられている。
【００１３】
ここで、上記コード判定部５には、オプションコードとオプション機器とが所定の定義通りに一対一で対応するオプションコードテーブル５ａが備えられており、コード判定部５は、オプションコードが入力されると、上記オプションコードテーブル５ａに基づいて、入力されたオプションコードに対応するオプション機器を判定する。例えば、コード判定部５にオプションコード０１が入力された場合には、コード判定部５は、オプションコードテーブル５ａに基づいて、オプションコード０１に対応するオプション機器が地震管制装置であると判定し、地震管制装置を動作させるオプション動作信号を出力する。
【００１４】
また、上記表示灯選択部６には、オプション機器とかご内に設けられた表示灯１とが表示灯１の表示内容に合わせて一対一で対応する表示灯設定テーブル６ａが備えられており、表示灯選択部６は、オプション動作信号が入力されると、上記表示灯設定テーブル６ａに基づいて、入力されたオプション動作信号に対応する表示灯１を選択する。例えば、表示灯選択部６に地震管制装置を動作させるオプション動作信号が入力された場合には、表示灯選択部６は、表示灯設定テーブル６ａに基づいて、入力されたオプション動作信号によって動作されるオプション機器が地震管制装置であると判定して、入力されたオプション動作信号に対応する表示灯１として表示灯Ｂを選択し、表示灯Ｂを点灯させる表示灯点灯信号を出力する。
【００１５】
なお、表示灯選択部６は、入力されたオプション動作信号によって動作されるオプション機器が表示灯設定テーブル６ａに定義されていない場合には、この入力されたオプション動作信号に対応する表示灯１が存在しないと判定して表示灯点灯信号の出力を実施しない。例えば、図１に示す制御手段において、メンテナンス用端末装置２からオプションコード０６が入力された場合には、コード判定部５から表示灯選択部６に対して省エネ装置を動作させるオプション動作信号が出力されるが、表示灯設定テーブル６ａには当該オプション動作信号に対応するオプション機器、即ち、省エネ装置が定義されていないため、表示灯選択部６から表示灯点灯信号は出力されない。つまり、オプションコードテーブル５ａには、当該エレベータ装置に備えられているオプション機器のみならず、他のエレベータ装置に備えられているオプション機器とオプションコードとの関係についても定義されているが、表示灯設定テーブル６ａには、当該エレベータ装置に備えられているオプション機器と表示灯１との関係のみが定義されている。
【００１６】
なお、地震計等の各種センサから制御手段のコード判別部５に対して、管制運転を実施させる管制運転開始信号が入力された場合には、管制運転を実施する複数のオプション機器の中から上記管制運転開始信号に対応するオプション機器が判定されて、このオプション機器に対応する表示灯１が点灯されるとともに、コード判別部５から出力されるオプション動作信号に基づいて、オプション機器を動作させる制御部（図示せず）によって管制運転が実施される。これに対し、エレベータ保守点検時に、管制運転開始信号の擬似信号として、メンテナンス用端末装置２から制御手段に対してオプションコードが入力された場合には、管制運転開始信号が入力された際と同じオプション動作信号がコード判定部５から出力されるが、表示灯１の点灯処理のみが実施され、実際の管制運転が実施されることはない。これは、例えば、エレベータ保守点検時における手動運転モードでは、コード判定部５から出力されるオプション動作信号の出力先を表示灯選択部６のみに限定して、制御部には出力されないように構成したり、オプション動作信号の出力先を変更せずに制御部の動作を制限したりすること等により、実現することができる。
【００１７】
次に、エレベータ保守点検時に、表示灯１の保守点検を実施する際のメンテナンス用端末装置２の動作について説明する。ここで、図２は、この発明の実施の形態１におけるメンテナンス用端末装置２の動作を説明するフローチャートである。図２において、エレベータ保守作業員は、先ず、携帯したメンテナンス用端末装置２を制御手段に有線又は無線により接続する。次に、メンテナンス用端末装置２により、表示灯１の保守点検における所定の設定を行い、自動点検を開始するとともに、かご内に移動して表示灯１の点灯状態を目視により確認する。
【００１８】
なお、図３は表示灯１の保守点検におけるメンテナンス用端末装置２の設定入力画面を示す図、図４は図３に示すメンテナンス用端末装置２の設定入力画面の設定項目及び設定内容を示す図である。図３及び図４において、設定入力画面８には所定の設定項目があり、保守作業員は必要な設定項目を入力後、開始釦８ａを押して、表示灯１の自動点検を開始する。ここで、上記設定項目は、例えば、オプションコードの出力順を設定する表示順８ｂ、オプションコードの出力間隔を設定する表示切替時間８ｃ、表示回数８ｄ、開始釦８ａ入力後から最初のオプションコードを出力するまでの時間を設定する表示開始時間８ｅ等により構成される。
【００１９】
そして、開始釦８ａが押されて表示灯１の自動点検が開始されると、メンテナンス用端末装置２内の制御部（図示せず）により、表示開始時間８ｅに入力された時間ｔ１が経過したか否かが判断され（ステップＳ１０１）、時間ｔ１が経過したと判断された場合に、オプションコード出力部３からオプションコード０１が出力される（ステップＳ１０２）。なお、オプションコード０１が入力されたエレベータの制御手段では、上述の通り、コード判定部５によって入力されたオプションコード０１に対応するオプション機器が判定され、表示選択部６及び表示灯点灯指令部７により、判定されたオプション機器に対応する表示灯Ｂが点灯される。一方、メンテナンス用端末装置２の制御部では、オプションコード０１を出力してから表示切替時間８ｃに入力された時間ｔ２が経過したか否かが判断され（ステップＳ１０３）、時間ｔ２が経過したと判断された場合に、オプションコード出力部３からオプションコード０２が出力される（ステップＳ１０４）。
【００２０】
その後、メンテナンス用端末装置２の制御部では、オプションコードを出力してから時間ｔ２経過毎に、表示順８ｂの入力順にオプションコードを出力する（ステップＳ１０５、Ｓ１０６）。そして、設定入力画面８に入力された最後のオプションコードを出力してから時間ｔ２が経過したと判断されると（ステップＳ１０７）、表示灯１の保守点検終了を意味するオプションコード００をオプションコード出力部３から出力して（ステップＳ１０８）、表示灯１の保守点検を終了する。
【００２１】
この発明の実施の形態１によれば、かご内に設けられた表示灯１に使用されているランプの球切れだけでなく、この表示灯１が、各種管制運転を実施するオプション機器の動作に連動して点灯するか否かも確実に点検することが可能となる。即ち、メンテナンス用端末装置２から制御手段に入力されるオプションコードによって、実際に管制運転を実施する際にコード判別部５から出力される信号と同じ信号が出力されて、表示灯１が点灯されるため、コード判定部５、表示灯選択部６、表示灯点灯指令部７の動作に異常が発生した場合等、表示灯１の点灯が各種管制運転を実施するオプション機器の動作に連動していないことを容易に把握することができる。
【００２２】
また、コード判別部５に備えられたオプションコードテーブル５ａに当該エレベータに備えられていないオプション機器も定義されているため、既設のエレベータに新たな管制運転機能を後から追加する場合にも、容易に対応することが可能となる。また、表示灯１の保守点検時、メンテナンス用端末装置２からオプションコードテーブル５ａに定義されているオプションコードを全て出力するようにして、設定入力画面８における表示順８ｂの入力を他のエレベータと統一することも可能である。かかる場合には、保守点検時の作業性が向上して、表示灯１の点検時間を短縮させることができる。
【００２３】
実施の形態２．
図５はこの発明の実施の形態２におけるエレベータの制御装置の構成図である。図５において、９はエレベータ昇降路内を昇降するかご内に備えられたかご内ディスプレイであり、かごの移動方向やかごの現在位置等をかご内の利用者に向けて表示するとともに、地震時や火災時等における管制運転時に、実施されている管制運転の内容を静止画像表示するものである。なお、図６は、地震が発生して管制運転が実施された際のかご内ディスプレイ９の表示を示したものである。
【００２４】
また、エレベータ制御手段には、表示灯選択部６から表示灯点灯信号が入力された際に、表示灯１に対応した表示灯点灯信号をかご内ディスプレイ９に対応した表示信号に変換する表示灯点灯信号変換部１０と、表示灯点灯信号変換部１０から表示信号が入力された際に、入力された表示信号に対応するオプション機器を判定して、当該表示信号に対応する表示画面を選択するとともに、選択された表示画面をかご内ディスプレイ９に表示させる表示画面選択部１１とが備えられている。なお、その他は、実施の形態１と同様の構成を有する。
【００２５】
ここで、上記表示画面選択部１１には、オプション機器とかご内ディスプレイ９に表示させる表示画像とが所定の定義通りに一対一で対応するオプション動作メッセージテーブル１１ａが備えられており、表示画面選択部１１は、表示信号が入力されると、上記オプション動作メッセージテーブル１１ａに基づいて、入力された表示信号に対応する表示画面を選択する。例えば、表示画面選択部１１に地震管制装置に対応する表示信号が入力された場合には、表示画面選択部１１は、オプション動作メッセージテーブル１１ａに基づいて、入力された表示信号に対応する表示画面として表示画面Ｂを選択し、かご内ディスプレイ９にその表示画像Ｂを表示させる。
【００２６】
この発明の実施の形態２によれば、実施されている管制運転の内容をかご内に報知する手段として液晶画面のようなかご内ディスプレイ９が設置された場合でも、このかご内ディスプレイ９の表示内容が、各種管制運転を実施するオプション機器の動作に対応しているか否かを確実に点検することができる。また、表示灯点灯信号変換部１０により、表示灯１に対応した表示灯点灯信号をかご内ディスプレイ９に対応した表示信号に変換することができるため、例えば、図１に示すようなエレベータ装置を設置した後、より多くの情報をかご内の利用者に提供するために、表示灯１をかご内ディスプレイ９に変更しようとした場合でも、かご内ディスプレイ９の表示内容が各種管制運転を実施するオプション機器の動作に対応しているか否かを確実に点検することが可能となる。
【００２７】
即ち、エレベータのかご内に設けられ、管制運転時に点灯されることにより、実施されている管制運転の内容をかご内の利用者に報知する複数の表示灯１と、エレベータの保守点検時、メンテナンス用端末装置２からオプションコードが入力された際に、管制運転を実施する複数のオプション機器の中から上記オプションコードに対応するオプション機器を判定するコード判定部５と、このコード判定部５により判定されたオプション機器に対応する表示灯１を選択する表示灯選択部６とを備えた既設エレベータから、表示灯１を取り外すとともに、既設エレベータのかご内にかご内ディスプレイ９を新設し、表示灯選択部６により選択された表示灯１に対応する表示灯点灯信号を、かご内ディスプレイ９に対応する表示信号に変換する表示灯点灯信号変換部１０と、この表示灯点灯信号変換部１０により変換された表示信号に対応する表示画面をかご内ディスプレイ９に表示させる表示画面選択部１１とを既設エレベータに新たに付加することにより実現可能である。なお、その他は、実施の形態１と同様の効果を奏する。
【図面の簡単な説明】
【００２８】
【図１】この発明の実施の形態１におけるエレベータの制御装置の構成図である。
【図２】この発明の実施の形態１におけるメンテナンス用端末装置の動作を説明するフローチャートである。
【図３】メンテナンス用端末装置の設定入力画面を示す図である。
【図４】図３に示す設定入力画面の設定項目及び設定内容を示す図である。
【図５】この発明の実施の形態２におけるエレベータの制御装置の構成図である。
【図６】この発明の実施の形態２におけるかご内表示器の表示画面を示す図である。
【符号の説明】
【００２９】
１  表示灯
２  メンテナンス用端末装置
３  オプションコード出力部
４  信号解析部
５  コード判定部
５ａ  オプションコードテーブル
６  表示灯選択部
６ａ  表示灯設定テーブル
７  表示灯点灯指令部
８  設定入力画面
８ａ  開始釦
８ｂ  表示順
８ｃ  表示切替時間
８ｄ  表示回数
８ｅ  表示開始時間
９  かご内ディスプレイ
１０  表示灯点灯信号変換部
１１  表示画面選択部
１１ａ  オプション動作メッセージテーブル
【図１】
0004792894.tif 000002
【図２】
0004792894.tif 000003
【図３】
0004792894.tif 000004
【図４】
0004792894.tif 000005
【図５】
0004792894.tif 000006
【図６】
0004792894.tif 000007